(57)【要約】      （修正有）【課題】経机の天板の載置面の拡大を図った仏壇を提供する。【解決手段】仏壇１は、前方が開放された箱体１０と、この箱体１０の開口部より突出自在に設けられた経机３０と、この経机３０の天板３１の両端部に箱体１０の両側板１３、１４より側方に張り出す張出部３１ａ、３１ｂと、箱体１０は、少なくとも、経机３０を収納する収納部を有し、経机３０を箱体１０内に収納したとき、張出部３１ａ、３１ｂを受け入れる受入部１３ａ、１４ａが箱体１０の両側板１３、１４に設けられている。【選択図】図３
2009279338.tif 000002
【特許請求の範囲】
【請求項１】
前方が開放された箱体と、
この箱体の開口部より突出自在に設けられた経机と、
この経机の天板の両端部に前記箱体の両側板より側方に張り出す張出部と、
前記箱体は、少なくとも、前記経机を収納する収納部を有し、
前記経机を前記箱体内に収納したとき、前記張出部を受け入れる受入部が前記箱体の両側板に設けられている
ことを特徴とする仏壇。                             
【請求項２】
前方が開放された箱体と、
この箱体の開口部より突出自在に設けられた経机と、
前記箱体の開口部を開閉する扉と、
前記経机の天板の両端部に前記箱体の両側板より側方に張り出す張出部と、
この張出部は、右張出部と左張出部とを有し、
前記右張出部の右張出量は、前記右張出部が対向する前記箱体の側板の板厚の範囲内であり、
前記左張出部の左張出量は、前記左張出部が対向する前記箱体の側板の板厚の範囲内であり、
前記箱体は、前記経机を収納する収納部を有し、
前記経机を前記箱体内に収納したとき、前記張出部を受け入れる受入部が前記箱体の両側板に設けられている
ことを特徴とする仏壇。                             
【発明の詳細な説明】
【技術分野】
【０００１】
本発明は、仏壇に係り、特に、経机の天板の載置面の拡大を図った仏壇に関する。
【０００２】
従来、例えば、経机を備えた仏壇がある（例えば、特許文献１参照）。
この仏壇は、香炉等を載置する経机の天板を有している（経机の天板は、例えば、特許文献１の図５の符号４６で示す部位参照）。
【特許文献１】特開２００７−５４１００号公報（図５）
【発明の開示】
【発明が解決しようとする課題】
【０００３】
ところが、香炉等を載置する部位を大きくしようとすれば、経机を収納する箱体全体を大きくしなければならないという問題点があった。
【０００４】
本発明は、上記の問題点を除去するようにした仏壇を提供することを目的とする。
【課題を解決するための手段】
【０００５】
本発明の仏壇は、前方が開放された箱体と、この箱体の開口部より突出自在に設けられた経机と、この経机の天板の両端部に前記箱体の両側板より側方に張り出す張出部と、前記箱体は、少なくとも、前記経机を収納する収納部を有し、前記経机を前記箱体内に収納したとき、前記張出部を受け入れる受入部が前記箱体の両側板に設けられているものである。
【０００６】
また、請求項２記載の仏壇は、前方が開放された箱体と、この箱体の開口部より突出自在に設けられた経机と、前記箱体の開口部を開閉する扉と、前記経机の天板の両端部に前記箱体の両側板より側方に張り出す張出部と、この張出部は、右張出部と左張出部とを有し、前記右張出部の右張出量は、前記右張出部が対向する前記箱体の側板の板厚の範囲内であり、前記左張出部の左張出量は、前記左張出部が対向する前記箱体の側板の板厚の範囲内であり、前記箱体は、前記経机を収納する収納部を有し、前記経机を前記箱体内に収納したとき、前記張出部を受け入れる受入部が前記箱体の両側板に設けられているものである。
【発明の効果】
【０００７】
請求項１記載の仏壇によれば、経机の天板の両端部に箱体の両側板より側方に張り出す張出部を設けて、箱体を大きくすることなく経机の天板を大きくすることができ、しかも、経机の張出部を受け入れる受入部が箱体の両側板に設けられているため、経机を箱体内に収納しても支障を生じない。
【０００８】
請求項２記載の仏壇によれば、経机の天板の両端部に箱体の両側板より側方に張り出す張出部を設けて、箱体を大きくすることなく経机の天板を大きくすることができ、しかも、経机の張出部を受け入れる受入部が箱体の両側板に設けられ、張出部は、右張出部と左張出部とを有し、前記右張出部の右張出量は、前記右張出部が対向する前記箱体の側板の板厚の範囲内であり、前記左張出部の左張出量は、前記左張出部が対向する前記箱体の側板の板厚の範囲内であるため、経机を箱体内に収納しても支障を生じない。
【発明を実施するための最良の形態】
【０００９】
本発明の仏壇の一実施例を図面を参照して説明する
図１乃至図８において、１は仏壇で、仏壇１は、天板１１、底板１２、両側板１３、１４、背板１５からなる前方が開放された箱体１０と、この箱体１０の開口部を開閉する扉２０とを備えている。
なお、箱体１０内には、図示しない安置物、仏飯器、茶台、香炉、燭台、花立等の仏具、後述する経机３０が収納される。また、扉２０は、正面視、右側扉Ａ１、Ａ２と左側扉Ｂ１、Ｂ２とを有し、右側扉Ａ１と右側扉Ａ２とは図示しない蝶番で、左側扉Ｂ１と左側扉Ｂ２とは、図示しない蝶番で接続されている。また、扉２０は、天板１１と底板１２とに、それぞれ設けられた溝１１ａ、溝１２ａに沿って案内され、箱体１０の開口部を開閉するようになっている。
【００１０】
なお、図２乃至図８においては、本願発明の要部が見えるように、右側扉Ａ１と左側扉Ｂ１を省略して、図示している。
図２に示す３０は、箱体１０の開口部より突出自在に設けられた経机で、経机３０は、図４に示すように、箱体１０に設けられた溝部１０ａに経机３０の下方に位置する部材３０ａを介して摺動自在に箱体１０に支持されている。
経机３０の天板３１の両端部には、箱体１０の両側板１３、１４より側方に張り出す張出部３１ａ、３１ｂが設けられている。なお、経机３０の天板３１は、図示しない経典、香炉等を載せる部位である。
【００１１】
また、経机３０を箱体１０内に収納したとき（図３及び図８参照）、張出部３１ａ、３１ｂを受け入れる受入部１３ａ、１４ａが箱体１０の両側板１３、１４に設けられている。この受入部１３ａ、１４ａは、例えば、両側板１３、１４の一部を切り欠いた部位で構成することができる。
このように、経机３０の天板３１の両端部に箱体１０の両側板１３、１４より側方に張り出す張出部３１ａ、３１ｂを設けたため、箱体１０を大きくすることなく経机３０の天板３１を大きくすることがで、しかも、経机３０の張出部３１ａ、３１ｂを受け入れる受入部１３ａ、１４ａが箱体１０の両側板１３、１４に設けられているため、経机３０を箱体１０内に収納しても支障を生じない。
【００１２】
なお、本実施例のように、扉２０が箱体１０の外側に位置する場合、張出部３１ａ、３１ｂは、扉２０の移動に支障を生じないようになっている。
即ち、右に位置する右張出部３１ａと左に位置する左張出部３１ｂとを有し、仏壇１の正面視、右張出部３１ａの右張出量は、右張出部３１ｂが対向する箱体１０の側板１３の板厚Ｔの範囲内であり、左張出部３１ｂの左張出量は、左張出部３１ｂが対向する箱体１０の側板１４の板厚Ｔ（図４参照）の範囲内となっている。
【図面の簡単な説明】
【００１３】
【図１】図１は、本発明の一実施例の仏壇の概略的斜視図である。
【図２】図２は、図１の扉の一部を省略して示した仏壇の概略的斜視図である。
【図３】図３は、図２の仏壇の経机を前方へ引き出した状態の概略的斜視図である。
【図４】図４は、図２の一部を拡大して示す概略的一部拡大正面図である。
【図５】図５は、経机が収納された状態の図４の５−５線の概略的断面図である。
【図６】図６は、経机が前方へ引き出した状態の図４の５−５線の概略的断面図である。
【図７】図７は、経机が収納された状態の図４の７−７線の概略的断面図である。
【図８】図８は、経机が前方へ引き出した状態の図４の７−７線の概略的断面図である。
【符号の説明】
【００１４】
１        仏壇
１０      箱体
１３      側板
１３ａ    受入部
１４      側板
１４ａ    受入部
３０      経机
３１ａ    張出部
３１ｂ    張出部
【図１】
2009279338.tif 000003
【図２】
2009279338.tif 000004
【図３】
2009279338.tif 000005
【図４】
2009279338.tif 000006
【図５】
2009279338.tif 000007
【図６】
2009279338.tif 000008
【図７】
2009279338.tif 000009
【図８】
2009279338.tif 000010